(57)【要約】【課題】浴槽へのさし水の際や試運転時に貯湯槽内のお湯を無駄に消費することがなく、しかも、コストを抑えつつさし水の際の使い勝手を悪化させない電気温水器を提供する。【解決手段】さし水管９に設けたさし水電磁弁４を開弁することで、給水源からの水をふろ配管１３から浴槽１４へ供給するようにしたので、貯湯槽２や湯水混合弁３を経由することなく浴槽１４へのさし水を行なうことができる。これにより、さし水と同時に給湯栓からお湯を出湯させることもでき、使い勝手が悪化しない。また、さし水の際に湯水混合弁３の湯側からお湯が漏れて貯湯槽２内のお湯を無駄に消費する、といったこともない。さらに、湯水混合弁が１つだけなので、コストも抑制される。【選択図】　図１
2004144315.tif 000002
【特許請求の範囲】
【請求項１】
電気ヒータを備えた貯湯槽と、給水源からの水と前記貯湯槽内のお湯とを混合して設定温度のお湯を出湯する湯水混合手段と、前記給水源から前記湯水混合手段に水を供給するための給水管と、前記貯湯槽内のお湯を前記湯水混合手段に供給するための給湯管と、前記給水管から分岐し前記貯湯槽に水を供給するためのバイパス管と、前記湯水混合手段にて混合されたお湯を給湯栓に供給するための出湯管と、前記湯水混合手段にて混合されたお湯を浴槽に供給するためのふろ配管と、前記ふろ配管に備えられ前記浴槽への湯はり時に開弁する湯はり電磁弁とを備えた電気温水器において、前記給水管から分岐し前記ふろ配管に連結するさし水管と、前記さし水管に備えられ前記浴槽へのさし水時に開弁するさし水電磁弁とを備えたことを特徴とする電気温水器。
【請求項２】
試運転の際、前記さし水電磁弁を開弁することにより前記浴槽へ水を供給することを特徴とする請求項１に記載の電気温水器。
【発明の詳細な説明】
【０００１】
【発明の属する技術分野】
本発明は、浴槽内のお湯の温度を下げるため浴槽内へ水を供給するさし水機能を備えた電気温水器に関するものである。
【０００２】
【従来の技術】
従来の電気温水器としては、図２に示すようなものがある（例えば、特許文献１参照）。図２の電気温水器２１において、図示しない給水源からの水は、給水管８から分岐したバイパス管７を通して貯湯槽２に導かれ、ヒータ６により加熱されて高温の湯となり、給湯管１０を通して湯水混合弁３および風呂用湯水混合弁１５に導かれる。一方、給水源からの水は、給水管８を通して湯水混合弁３および風呂用湯水混合弁１５へも導かれる。そして、湯水混合弁３にてリモコン（図示しない）で設定された温度に混合されたお湯は、出湯管１１を通して給湯栓（図示しない）へと供給され、風呂用湯水混合弁１５にて混合されたお湯は、ふろ配管１３を通して浴槽１４へと供給される。なお、ふろ配管１３には、浴槽１４への湯はりの際にお湯の供給を開始／停止するための湯はり電磁弁５が備えられている。
【０００３】
以上の構成により、給湯栓と浴槽１４へ別々の温度のお湯を供給することができる。ここで、浴槽１４内のお湯の温度を下げるため、浴槽１４へさし水を行なう場合には、風呂用湯水混合弁１５の水側を全開にする。また、ふろ配管１３の水漏れチェックなどのために試運転を行なう場合にも、風呂用湯水混合弁１５の水側を全開にして浴槽１４へ水を供給すればよい。この場合、貯湯槽２内が空であったり、湯が沸き上がっていない据付工事直後であっても、試運転が可能である（例えば、特許文献２参照）。
【０００４】
【特許文献１】
特開平１１−２１１２２０号公報
【特許文献２】
特開平１１−９４２７８号公報
【０００５】
【発明が解決しようとする課題】
しかしながら、上記した従来の電気温水器では、湯水混合手段を複数必要とするためコストが高くなる。なお、湯水混合手段を１つとした場合には、給湯栓と浴槽へ同じ温度の湯水を供給することになるので、浴槽へのさし水の際には給湯栓からお湯が出なくなり、使い勝手が悪い。また、浴槽へのさし水の際や試運転時には、湯水混合手段の水側を全開とするが、湯水混合手段の構造上、湯側からも多少お湯が流れ込むことがあり、この場合、貯湯されていたお湯が少なくなるという問題があった。
【０００６】
本発明は上記課題を解決するためになされたもので、本発明の目的は、浴槽へのさし水の際や試運転時に貯湯槽内のお湯を無駄に消費することがなく、しかも、コストを抑えつつさし水の際の使い勝手を悪化させない電気温水器を提供することにある。
【０００７】
【課題を解決するための手段およびその作用・効果】
上記目的を達成するために請求項１は、電気ヒータを備えた貯湯槽と、給水源からの水と前記貯湯槽内のお湯とを混合して設定温度のお湯を出湯する湯水混合手段と、前記給水源から前記湯水混合手段に水を供給するための給水管と、前記貯湯槽内のお湯を前記湯水混合手段に供給するための給湯管と、前記給水管から分岐し前記貯湯槽に水を供給するためのバイパス管と、前記湯水混合手段にて混合されたお湯を給湯栓に供給するための出湯管と、前記湯水混合手段にて混合されたお湯を浴槽に供給するためのふろ配管と、前記ふろ配管に備えられ前記浴槽への湯はり時に開弁する湯はり電磁弁とを備えた電気温水器において、前記給水管から分岐し前記ふろ配管に連結するさし水管と、前記さし水管に備えられ前記浴槽へのさし水時に開弁するさし水電磁弁とを備えた。
【０００８】
本発明によれば、湯水混合手段を１つだけとしてコストを抑制するとともに、湯水混合手段を経由することなく浴槽へのさし水を行なうことができるようにしたので、さし水と同時に給湯栓からお湯を出湯させることもでき、使い勝手も悪化しない。さらに、さし水の際に湯水混合手段の湯側からお湯が漏れて貯湯槽内のお湯を無駄に消費する、といったこともない。
【０００９】
請求項２では、請求項１に記載の電気温水器において、試運転の際、前記さし水電磁弁を開弁することにより前記浴槽へ水を供給することとした。よって、試運転の際にも、湯水混合手段を経由することなく浴槽へ水を供給するようにしたので、貯湯槽内のお湯が沸き上がっていた場合でも、湯水混合手段の湯側からお湯が漏れて貯湯槽内のお湯を無駄に消費することがない。
【００１０】
【発明の実施の形態】
以下、本発明の実施の形態を、図面により詳細に説明する。
【００１１】
図１は、本発明の一実施形態に係る電気温水器１の構成図である。図１において、図示しない給水源からの水は、給水管８から分岐したバイパス管７を通して貯湯槽２に導かれ、ヒータ６により加熱されて高温の湯となり、給湯管１０を通して湯水混合弁３に導かれる。一方、給水源からの水は、給水管８を通して湯水混合弁３へも導かれる。そして、湯水混合弁３にてリモコン（図示しない）で設定された温度に混合されたお湯は、出湯管１１を通して給湯栓（図示しない）へ供給されるとともに、出湯管１１から分岐した湯はり管１２とふろ配管１３を通して浴槽１４へと供給される。なお、湯はり管１２には、浴槽１４への湯はりの際にお湯の供給を開始／停止するための湯はり電磁弁５が備えられている。
【００１２】
一方、給水管８から分岐したさし水管９は、湯水混合弁３を経由することなくふろ配管１３に接続されている。このさし水管９には、浴槽１４へのさし水の際や試運転時に給水管８からの水の供給を開始／停止するためのさし水電磁弁４が備えられている。さし水の際や試運転時には、さし水電磁弁４を開弁することで、給水源からの水が給水管８、さし水管９、ふろ配管１３を経由して浴槽１４へ供給される。
【００１３】
以上のような構成としたので、貯湯槽２や湯水混合弁３を経由することなく浴槽１４へのさし水を行なうことができる。これにより、さし水と同時に給湯栓からお湯を出湯させることもでき、使い勝手も悪化しない。また、さし水の際に湯水混合弁３の湯側からお湯が漏れて貯湯槽２内のお湯を無駄に消費する、といったこともない。さらに、湯水混合弁が１つだけなので、コストも抑制される。
【００１４】
また、試運転の際にも、貯湯槽２や湯水混合弁３を経由することなく浴槽１４へ水を供給できるので、貯湯槽２内のお湯が沸き上がっていた場合でも、湯水混合弁３の湯側からお湯が漏れて貯湯槽２内のお湯を無駄に消費することがない。
【図面の簡単な説明】
【図１】本発明の一実施形態に係る電気温水器１の構成図
【図２】従来の電気温水器２１の構成図
【符号の説明】
１…電気温水器
２…貯湯槽
３…湯水混合弁
４…さし水電磁弁
５…湯はり電磁弁
６…ヒータ
７…バイパス管
８…給水管
９…さし水管
１０…給湯管
１１…出湯管
１２…湯はり管
１３…ふろ配管
１４…浴槽
１５…風呂用湯水混合弁
２１…電気温水器
【図１】
2004144315.tif 000003
【図２】
2004144315.tif 000004